(57)【要約】【課題】プーリ間に渡って配置されるような長尺部材を要することなくベルトの張力を測定することができるベルト張力測定装置の提供。【解決手段】本発明に係るベルト張力測定装置１２は、例えばエレベータのドア駆動装置に備えられるベルト９の張力の測定に用いられ、駆動プーリ７、従動プーリ８間に張設されたベルト９の上側部分を押圧可能な錘２０を備え、この錘２０によってベルト９の上側部分を押圧した際のベルト９の撓み量によりベルト９の張力を測定するものであって、錘２０を上下方向に案内可能なガイド部材を備えている。また、エレベータのドア駆動装置は、駆動プーリ７、従動プーリ８が保持されるフレーム５を備え、前述したガイド部材は、フレーム５に固定され、錘２０を上下方向に案内するガイド筒２２を有するベース部材２１から成り、錘２０をガイド筒２２に固定する蝶ねじ２３を備えている。【選択図】図３
2016038325.tif 000002
【特許請求の範囲】
【請求項１】
２つのプーリ間に張設されたベルトを撓み変形させる錘を備え、前記錘によって前記ベルトを撓み変形させた際の前記ベルトの撓み量により前記ベルトの張力を測定するベルト張力測定装置において、
前記錘を上下方向に案内可能なガイド部材を備えたことを特徴とするベルト張力測定装置。
【請求項２】
請求項１に記載のベルト張力測定装置において、
前記２つのプーリが保持されるフレームを備え、
前記ガイド部材は、前記フレームに固定され、前記錘を上下方向に案内するガイド筒を有するベース部材から成り、
前記錘を前記ガイド筒に固定する固定具を備えたことを特徴とするベルト張力測定装置。
【請求項３】
請求項２に記載のベルト張力測定装置において、
前記ベース部材を前記フレームに固定する固定手段を備えたことを特徴とするベルト張力測定装置。
【請求項４】
請求項３に記載のベルト張力測定装置において、
前記固定手段は、前記フレームに吸着され、消磁可能な磁石と、前記ベース部材を前記磁石に固定する固定具とを含むことを特徴とするベルト張力測定装置。
【請求項５】
請求項４に記載のベルト張力測定装置において、
前記ベース部材は、
前記磁石に取り付けられる取り付け部と、
前記取り付け部に連設される立ち上がり部と、
前記立ち上がり部に連設されて水平方向に延設し、前記ガイド筒が設けられる延設部とを含み、
前記延設部に前記錘が挿通可能なガイド穴を形成し、前記ガイド筒の内径寸法と前記ガイド穴の径寸法とを略等しく設定したことを特徴とするベルト張力測定装置。
【請求項６】
請求項５に記載のベルト張力測定装置において、
前記錘の下端が前記ベルトに接触した時点における前記錘の高さ位置から、前記錘の自重による前記ベルトの撓み変形が完了する時点における前記錘の高さ位置までの前記錘の上下方向に対する移動距離を、前記ベルトの撓み量として検出可能な目盛りを有する目盛りブラケットと、
前記目盛りブラケットを前記ベース部材に上下方向の移動可能に取り付ける固定具とを備えたことを特徴とするベルト張力測定装置。
【請求項７】
請求項６に記載のベルト張力測定装置において、
前記ベルトは、水平方向に張設されるようにエレベータのドア駆動装置に備えられ、ドアを開閉移動させるベルトから成り、
前記フレームは、前記ドアが開閉する方向に前記ドアを案内するドアレールが設けられるフレームから成ることを特徴とするベルト張力測定装置。
【発明の詳細な説明】
【技術分野】
【０００１】
本発明は、エレベータのドア駆動装置に備えられるベルト等の張力の測定に用いられ、ベルトを撓み変形させる錘を備えたベルト張力測定装置に関する。
【背景技術】
【０００２】
この種の従来技術として特許文献１に示されるものがある。この特許文献１には、ベルトに錘を吊り下げ、２つのプーリ間に渡した長尺部材を形成する基準構成部材を基準に、ベルトのたわみ量を鋼尺にて測定する伝動用ベルトの張り検査方法が開示されている。
【先行技術文献】
【特許文献】
【０００３】
【特許文献１】特開２００５−１４０５３５号公報
【発明の概要】
【発明が解決しようとする課題】
【０００４】
前述した特許文献１に開示された従来技術は、２つのプーリ間に渡される長尺部材を形成する基準構成部材を備えていることから、装置が大型化する傾向にある。これに応じて従来技術は、持ち運びが不便であり、またベルトの張力測定時の作業が煩雑になって、張力測定作業性の向上を見込めない問題がある。
【０００５】
本発明は、前述した従来技術における実情からなされたもので、その目的は、プーリ間に渡って配置されるような長尺部材を要することなくベルトの張力を測定することができるベルト張力測定装置を提供することにある。
【課題を解決するための手段】
【０００６】
前記目的を達成するために、本発明に係るベルト張力測定装置は、２つのプーリ間に張設されたベルトを撓み変形させる錘を備え、前記錘によって前記ベルトを撓み変形させた際の前記ベルトの撓み量により前記ベルトの張力を測定するベルト張力測定装置において、前記錘を上下方向に案内可能なガイド部材を備えたことを特徴としている。
【発明の効果】
【０００７】
本発明に係るベルト張力測定装置によれば、プーリ間に渡って配置される長尺部材を要することなくベルトの張力を測定することができ、装置の小型化を実現できる。これにより本発明は、従来に比べて持ち運びが便利になり、また、ベルトの張力測定作業が簡単になり、測定作業性を向上させることができる。
【図面の簡単な説明】
【０００８】
【図１】本発明に係るベルト張力測定装置の一実施形態が設置されるエレベータのドア駆動装置を示す正面図である。
【図２】本実施形態に係るベルト張力測定装置の正面図である。
【図３】本実施形態に係るベルト張力測定装置の側面図である。
【発明を実施するための形態】
【０００９】
以下、本発明に係るベルト張力測定装置の実施の形態を図面に基づいて説明する。
【００１０】
図１は、本発明に係るベルト張力測定装置の一実施形態が設置されるエレベータのドア駆動装置を示す正面図である。
【００１１】
本実施形態に係るベルト張力測定装置が適用されるエレベータのドア駆動装置は、図１に示すように、例えば左右両開きのドア１，２をそれぞれ吊り下げるハンガ３と、これらのハンガ３の上部に設けられたローラ装置を案内するドアレール４と、このドアレール４が設けられるフレーム５とを備えている。
【００１２】
フレーム５には、駆動モータ６、及びこの駆動モータ６の出力軸に装着された駆動プーリ７と、従動プーリ８とが保持され、２つのプーリ、すなわち駆動プーリ７、従動プーリ８間に、本実施形態の張力測定対象であるベルト９が張設されている。
【００１３】
ドア１側のハンガ３は、ベルト９の下側部分に連結ブラケット１０によって連結され、ドア２側のハンガ３は、ベルト９の上側部分に連結ブラケット１１によって連結されている。本実施形態に係るベルト張力測定装置１２は、駆動プーリ７、従動プーリ８間の中間に配置されてベルト１２の張力を測定するようになっている。
【００１４】
前述のように構成されたエレベータのドア駆動装置にあっては、駆動モータ６を一方向に回転駆動すると、同方向に駆動プーリ７が回転し、ベルト９が例えば同図１の反時計回りに移動する。これにより連結ブラケット１０を介してドア１側のローラ装置がドアレール４上を同図１の右方向に移動し、また連結ブラケット１１を介してドア２側のローラ装置がドアレール４上を同図１の左方向に移動し、これに伴ってドア１が同図１の右方向に、ドア２が左方向に移動し、ドア開状態となる。
【００１５】
また、駆動モータ６を前述とは逆方向に回転駆動すると、同方向に駆動プーリ７が回転し、ベルト９が同図１の時計回りに移動する。これにより、ドア１側のローラ装置がドアレール４上を同図１の左方向に移動し、またドア２側のローラ装置がドアレール４上を同図１の右方向に移動し、これに伴ってドア１が同図１の左方向に、ドア２が右方向に移動し、同図１に示すようにドア閉状態となる。
【００１６】
図２は、本実施形態に係るベルト張力測定装置の正面図、図３は、本実施形態に係るベルト張力測定装置の側面図である。
【００１７】
これらの図２，３に示すように、本実施形態に係るベルト張力測定装置１２は、駆動プーリ７と従動プーリ８間に張設されたベルト９の上側部分を押圧可能な錘２０を備え、この錘２０によってベルト９の上側部分を押圧した際のベルト９の撓み量によりベルト９の張力を測定するものであり、錘２０を上下方向に案内可能なガイド部材を備えている。錘２０は、所定の重さ、例えば１ｋｇに設定されている。この錘２０でベルト９の上側部分を押圧することによるたわみ量を張力（例えば、ｍｍ／ｋｇｆ）として測定する。
【００１８】
前述したガイド部材は、駆動プーリ７及び従動プーリ８が保持される前述したドア駆動装置のフレーム５に固定され、錘２０を上下方向に案内するガイド筒２２を有するベース部材２１から成っている。また本実施形態は、錘２０をガイド筒２２に固定する固定具、例えば蝶ねじ２３を備えている。
【００１９】
また本実施形態は、ベース部材２１をフレーム５に固定する固定手段を備えている。この固定手段は、例えばフレーム５に吸着され、消磁可能な磁石２４と、ベース部材２１を磁石２４に固定する固定具、例えばボルト２５とを含んでいる。
【００２０】
ベース部材２１は、磁石２４に取り付けられる取り付け部２６と、この取り付け部２６に連設される立ち上がり部２７と、この立ち上がり部２７に連設されて水平方向に延設し、前述したガイド筒２２が設けられる延設部２８とを含んでいる。
【００２１】
延設部２８には、錘２０が挿通可能なガイド穴２８ａを形成してあり、ガイド筒２２の内径寸法と延設部２８のガイド穴２８ａの径寸法とを略等しく設定してある。
【００２２】
また本実施形態は、錘２０の下端２０ａがベルト９の上側部分に接触した時点における錘２０の高さ位置から、錘２０の自重によるベルト９の上側部分の撓み変形が完了する時点における錘２０の高さ位置までの錘２０の上下方向に対する移動距離を、ベルト９の撓み量として検出可能な目盛り３０ａを有する目盛りブラケット３０を備えている。また、目盛りブラケット３０をベース部材２１の立ち上がり部２７に上下方向の移動可能に取り付ける固定具、例えば蝶ねじ３１を備えている。目盛りブラケット３０には、上下方向に延設形成された長穴を設けてあり、その長穴内に蝶ねじ３１が挿入されている。
【００２３】
目盛りブラケット３０は、錘２０が配置される側の面部に目盛り３０ａを形成してある。また、この目盛りブラケット３０の上端３０ｂは折り曲げ形成され、錘２０の上面２０ｂに当接可能となっている。
【００２４】
以下、本実施形態に係るベルト張力測定装置１２を用いてベルト９の張力を測定する手順について説明する。
【００２５】
はじめに、錘２０を下端２０ａがベルト９の上側部分に接触しない範囲で、ベース部材２１のガイド筒２２に蝶ねじ２３により仮固定する。
【００２６】
次に、ベース部材２１がボルト２５によって取り付けられた磁石２４を消磁状態とし、磁石２４をフレーム５上を動かして、錘２０の下端２０ａがベルト９の上側部分に一致するように、位置合せを行う。この状態で磁石２４を励磁し、磁石２４をフレーム５上に固定する。
【００２７】
次に、蝶ねじ２３をゆるめ、錘２０をガイド筒２２に案内させながら徐々に下げ、錘２０の下端２０ａがベルト９の上側部分に接触した時点で、蝶ねじ２３を締めて、錘２０をベース部材２１のガイド筒２２に仮固定する。
【００２８】
次に、蝶ねじ３１をゆるめて、目盛りブラケット３０を、その上端３０ｂが錘２０の上面２０ｂに当接するまで下げ、蝶ねじ３１を締めて、目盛りブラケット３０をベース部材２１の立ち上がり部２７に固定する。この動作により、目盛りブラケット３０の目盛り３０ａのゼロ点調整が完了する。
【００２９】
次に、蝶ねじ２３をゆるめて、錘２０をガイド筒２２に案内させながらその自重で降下させ、これによってベルト９の上側部分を押し下げる。
【００３０】
前述した錘２０の自重によりベルト９の上側部分の撓み変形が完了し、錘２０が停止した時点で、錘２０の上面２０ｂと一致する目盛りブラケット３０の目盛り３０ａを読み取る。このときの目盛り３０ａの値が、ベルト９に所定荷重、すなわち１ｋｇを負荷したときのたわみ量である。このたわみ量からベルト９の張力を算出することができる。
【００３１】
このようにして測定されたベルト９のたわみ量、すなわち張力が許容範囲内であれば、ベルト９の張力は正常と判断される。また、ベルト９のたわみ量、すなわち張力が許容範囲を超えていれば、ベルト９の張力を調整する作業、あるいはベルト９を交換する作業が必要となる。ベルト９の張力の調整に際しては、図１に示した従動プーリ８を、駆動プーリ７から離れる方向へ、フレーム５上を移動させることにより行う。ベルト９の張力の調整後には、例えば前述と同様のベルト９の張力の測定作業が行われ、ベルト９の張力が確認される。
【００３２】
このように構成した本実施形態に係るベルト張力測定装置１２によれば、主に錘２０を上下方向に案内するベース部材から成るガイド部材を設ければ済み、駆動プーリ７、従動プーリ８間に渡って配置されるような長尺部材を要することなくベルト９の張力を測定でき、装置の小型化を実現できる。これにより本実施形態は、持ち運びが便利になり、また、ベルト９の張力測定作業が簡単になり、測定作業性を向上させることができる。
【符号の説明】
【００３３】
１    ドア
２    ドア
５    フレーム
６    駆動モータ
７    駆動プーリ
８    従動プーリ
９    ベルト
１２    ベルト張力測定装置
２０    錘
２０ａ  下端
２０ｂ  上面
２１    ベース部材（ガイド部材）
２２    ガイド筒
２３    蝶ねじ（固定具）
２４    磁石
２５    ボルト（固定具）
２６    取り付け部
２７    立ち上がり部
２８    延設部
２８ａ  ガイド穴
３０    目盛りブラケット
３０ａ  目盛り
３０ｂ  上端
３１    蝶ねじ（固定具）
【図１】
2016038325.tif 000003
【図２】
2016038325.tif 000004
【図３】
2016038325.tif 000005